(57)【特許請求の範囲】
【請求項１】
中空かつ周面に孔またはスリットを有する円錐台を横に配置した形状であって、大径側は開放されるとともに小径側は閉鎖され、回転軸を中心に回転駆動される篩を有する回転式篩装置であって、
篩受けローラを有し大径側のリングを下方から支持する篩支持台を備え、
大径側から内部を通して小径側に投入されたばら物を周面に沿って降下させつつ篩分けし、篩の孔またはスリットを通過しないばら物は大径側から排出することを特徴とする回転式篩装置。
【請求項２】
上記篩の回転軸を傾斜させることにより、ばら物の性状に合わせて滞留時間を調整することができる請求項１記載の回転式篩装置。
【発明の詳細な説明】
【０００１】
【発明の属する技術分野】
本発明は、石炭などのばら物をそれぞれの用途に適した粒径に選別する回転式篩装置に関するものである。
【０００２】
【従来の技術】
いわゆるばら物と称するものには、石炭、鉄鉱石、穀物などがあるが、その種類やある工程においては、そのばら物をそれぞれの用途に適した粒径に選別することが必要となる。
【０００３】
特に、火力発電所などの燃料となる石炭に関し、その必要性が高い。石炭は、過去の植物体が堆積し、分解反応を経て、さらに地中で地熱作用と変質作用を受けて生成した固体可燃性岩石であり、その分布が汎世界的で埋蔵量も膨大であることから、分布地域が偏在していて、近い将来に枯渇が危惧されている石油に比べても、人類の将来に残された貴重な化石燃料である。また、石炭の化石燃料としての歴史は古く、現在では燃焼のほか、ガス化、液化など多岐に渡って利用されている。しかし、最近の資源不足や環境汚染問題などから、いかに燃料を効率よく利用するか、いかに環境汚染対策を施すか、が焦点となっている。そのため、石炭を燃料とする火力発電所などにおいては、石炭をボイラで燃焼させる前に、その発電に適した粒径のものとなるように篩にかけて選炭している。
【０００４】
図３は従来の石炭の篩装置を示す側面図である。この篩装置１１は、上面と正面が開放された箱型の形状であって、下面に孔またはスリットを有する篩３と、この篩３中に石炭５を運搬する搬入コンベヤ１２と、篩３をばね１３を介して支持する篩支持台１４と、篩支持台１４上に設けられるとともに篩３を加振するモータ１５と、篩３を通過した石炭６を受けるホッパ１６と、そのホッパ１６から排出される選別された石炭６を搬出する搬出コンベヤ１７と、篩３を通過しない石炭（残炭）７を受ける残炭ホッパ１８と、その残炭ホッパ１８から排出される残炭７を搬出する残炭搬出コンベヤ１９とからなり、モータ１５による加振と、ばね１３の弾性力を利用することにより、篩３が楕円軌道をなすように上下左右に振動させて、篩３を通過する石炭６と通過しない残炭７とに選炭していた。
【０００５】
【発明が解決しようとする課題】
しかし、上述した篩装置では、篩を上下左右に作動させていたため、振動や騒音がひどかった。また、篩の加振に大きなモータが必要であるとともに、ばら物の搬入から搬出までの距離（篩の長さ）が長いため、装置が大型化してしまい、場所を取っていた。さらに、装置の製作費が高く、重量も重かった、などの問題があった。
【０００６】
本発明は、上記課題を解決するために創案されたものである。すなわち、装置の振動や騒音を抑えるとともに装置の軽量、小型化を図ることができる回転式篩装置を提供することを目的とする。
【０００７】
【課題を解決するための手段】
本発明によれば、中空かつ周面に孔またはスリットを有する円錐台を横に配置した形状であって、大径側は開放されるとともに小径側は閉鎖され、回転軸を中心に回転駆動される篩を有する回転式篩装置であって、篩受けローラを有し大径側のリングを下方から支持する篩支持台を備え、大径側から内部を通して小径側に投入されたばら物を周面に沿って降下させつつ篩分けし、篩の孔またはスリットを通過しないばら物は大径側から排出することを特徴とする回転式篩装置が提供される。
【０００８】
また、上記篩の回転軸を傾斜させることにより、ばら物の性状に合わせて滞留時間を調整することができる。
【０００９】
本発明は、ばら物を篩にかけるときに、篩を振動させるのではなく、回転させることにより、振動や騒音を抑えようとするものである。このように、回転式の篩装置とすることにより、篩を作動させるための駆動力を少なくすることができるため、モータなどの駆動源を小型化することができ、装置の軽量、小型化に繋がる。また、装置の振動を低減することにより、篩およびその支持部材などの軽量、小型化を図ることができる。
【００１０】
【発明の実施の形態】
以下、本発明の好ましい実施の形態を図１および図２を参照して説明する。なお、従来と共通する部分には同一の符号を付して重複した説明を省略する。
【００１１】
図１は本発明の回転式篩装置の側面図であり、図２は図１におけるＡ矢視図である。これらの図に示す回転式篩装置は、一つの実施の形態として、石炭を燃料とする火力発電所などにおいて、石炭をボイラで燃焼させる前にその発電に適した粒径のものとなるように篩にかけて選炭する場合に使用するものについて説明する。
【００１２】
図１および図２に示すように、回転式篩装置は、中空かつ周面にスリット１を有する円錐台を横に配置した形状であって、大径側は開放されるとともに、小径側は歯車２１を有し、かつ閉鎖され、小径側から突出して設けられた回転軸２を中心に回転駆動される篩３を有する回転式篩装置４であって、小径側に投入された石炭５を周面に沿って降下させつつ篩分けし、篩３のスリット１を通過した石炭６は篩３の下方に設けられたホッパ１６から排出し、篩３のスリット１を通過しない石炭７は大径側に設けられた残炭排出すべり台２２から排出するものである。
【００１３】
この篩３では、大径側のリング２３と歯車２１を連結するように、複数の板状部材２４を所望の隙間で取り付け、その隙間をスリット１としている。したがって、この板状部材２４の隙間を変えることによりスリット１の幅を変化させ、必要な粒径の石炭を容易に選別することができる。なお、この板状部材２４の外面に複数のたがを嵌めるようにしてもよいし、板状部材２４の代わりに篩の周面に孔を設けるようにしてもよいし、金網を張るようにしてもよい。
【００１４】
また、篩３は、小径側の歯車２１と噛み合う歯車２５を有する駆動源２６により回転駆動されるとともに、篩３の回転軸２は軸受け２７により支持され、大径側のリング２３は一対の篩受けローラ２８を有する篩支持台１４により支持されている。したがって、篩３を滑らかに回転させることができ、その振動や騒音を低減することができる。なお、駆動源２６は、モータ１５と減速機２９とからなる。
【００１５】
また、残炭排出すべり台２２は、大径側のリング２３から拡径するように設けられており、篩３のスリット１を通過しない石炭７を滑らかに残炭搬出コンベヤ１９へと排出するようになっている。なお、篩３のスリット１を通過しない石炭７は、重力により下の方に集められるため、この残炭排出すべり台２２を大径側のリング２３ではなく、篩支持台１４上に篩３の下の部分のみをカバーするように設けてもよい。
【００１６】
図１および図２に示すように、種々の粒径を含む粉砕された石炭５を、搬入コンベヤ１２により、篩３の大径側から内部を通して小径側にまで運搬し篩３内に投入する。篩３の回転により、種々の粒径を含む粉砕された石炭５は篩３の周面に沿って降下しながら篩分けられ、篩３のスリット１を通過した石炭６は篩３の下方に設けられたホッパ１６から排出され、搬出コンベヤ１７により所定の位置へと運搬される。一方、篩３のスリット１を通過しない石炭７は残炭排出すべり台２２から排出され、残炭搬出コンベヤ１９により図示しないクラッシャー装置などへと運搬される。したがって、篩３内に投入された石炭は、篩３の周面に沿って回転方向に引き上げられ、その途中で崩落するという運動を繰り返しつつ小径側から大径側に降下していくため、投入された石炭を選炭するのに必要な距離を十分にとることができ、石炭の搬入から残炭の搬出までの距離（篩の長さ）を短縮することができる。
【００１７】
上述の本発明である回転式篩装置４によれば、篩３の回転速度や回転軸２の傾斜角度を変化させることにより、石炭の大きさや性状に合わせてその滞留時間を容易に調整して選炭することができる。
【００１８】
なお、本発明は上述した実施の形態に限定されず、本発明の要旨を逸脱しない範囲で種々変更できることは勿論である。
【００１９】
【発明の効果】
上述したように、本発明の回転式篩装置によれば、ばら物を篩にかけるときに、篩を振動させるのではなく、回転させることにより、篩を滑らかに作動させることができるため、その振動や騒音を抑えることができる。また、回転式とすることにより、篩を作動させるための駆動力を省力化することができるため、モータなどの駆動源を小型化することができ、装置の軽量、小型化を図ることができる。さらに、ばら物の搬入から搬出までの距離（篩の長さ）を短縮することができるため、装置の小型化を図ることができる。
【００２０】
また、装置の振動を低減することにより、篩およびその支持部材などの軽量、小型化を図ることができる。
【００２１】
また、篩の回転速度や回転軸の傾斜角度を変化させるだけで、容易にばら物の大きさや性状に合わせてその滞留時間を調整して選別することができる、などの優れた効果を有する。
【図面の簡単な説明】
【図１】本発明の回転式篩装置の側面図である。
【図２】図１におけるＡ矢視図である。
【図３】従来の石炭の篩装置を示す側面図である。
【符号の説明】
１  スリット
２  回転軸
３  篩
４  回転式篩装置
５  ばら物（石炭）
６  スリットを通過した石炭
７  スリットを通過しない石炭（残炭）
１１  篩装置
１２  搬入コンベヤ
１３  ばね
１４  篩支持台
１５  モータ
１６  ホッパ
１７  搬出コンベヤ
１８  残炭ホッパ
１９  残炭搬出コンベヤ
２１，２５  歯車
２２  残炭すべり台
２３  リング
２４  板状部材
２６  駆動源
２７  軸受け
２８  篩受けローラ
２９  減速機
【図１】
0003615597.tif 000002
【図２】
0003615597.tif 000003
【図３】
0003615597.tif 000004